(57)【要約】【課題】遊技機の検査の際に、試験端子に正確な検査情報を得ることができ、正確な検査ができる遊技機およびその検査方法の提供。【解決手段】図柄制御部４は、主制御部１からのコマンドデータを取得して表示器に表示される画像の制御を行うとともに、その取得したコマンドデータを試験端子５に出力する。比較判定部６は、主制御部１から図柄制御部４に供給されるコマンドデータを記憶するとともに、この記憶するコマンドデータと、図柄制御部４から試験端子５に出力されるコマンドデータとを比較し、その両者が不一致の場合に、その同一のコマンドデータの再送を要求する再送要求信号を、主制御部１に対して出力する。【選択図】    図１
2004167169.tif 000002
【特許請求の範囲】
【請求項１】
主制御部と、この主制御部からのコマンドデータを取得して自己の制御を行うとともに、その取得したコマンドデータを試験端子に出力させる機器と、を有する遊技機において、
前記機器の検査の際に、前記主制御部から前記機器に対して供給されるコマンドデータと前記試験端子に出力されるコマンドデータとを比較し、その両コマンドデータが一致しない場合には、同一のコマンドデータの再送を要求するための再送要求信号を前記主制御部に対して出力する比較判定手段を備えたことを特徴とする遊技機。
【請求項２】
前記比較判定手段は、前記両コマンドデータが一致しないときには、その両コマンドデータが一致するまで前記比較動作を規定回数繰り返すことを特徴とする請求項１に記載の遊技機。
【請求項３】
前記比較判定手段は、前記機器の基板に着脱自在に設けたことを特徴とする請求項１または請求項２に記載の遊技機。
【請求項４】
前記機器は、前記主制御部からのコマンドデータに基づいて図柄を変動表示する図柄表示装置であることを特徴とする請求項１、請求項２または請求項３に記載の遊技機。
【請求項５】
遊技機の主制御部からのコマンドデータに応じて制御される機器の検査を行う遊技機の検査方法において、
前記検査の際には、前記機器は前記主制御部からのコマンドデータを取得して自己の制御を行うとともに、その取得コマンドデータを試験端子に出力させる一方、
前記機器が取得するコマンドデータと前記試験端子に出力されるコマンドデータとを比較し、その両コマンドデータが一致しない場合には、前記主制御部がその一致しないことを受けて同一のコマンドデータを再送するようにしたことを特徴とする遊技機の検査方法。
【請求項６】
前記両コマンドデータの比較動作は、前記両コマンドデータが一致しないときには、その両コマンドデータが一致するまで規定回数繰り返すことを特徴とする請求項５に記載の遊技機。
【請求項７】
前記機器は、前記主制御部からのコマンドデータに基づいて図柄を変動表示する図柄表示装置であることを特徴とする請求項５または請求項６に記載の遊技機の検査方法。
【発明の詳細な説明】
【０００１】
【発明の属する技術分野】
本発明は、主制御部と、この主制御部からのコマンドに応じて制御される機器と、を少なくとも有する遊技機およびその遊技機の検査方法に関する。
【０００２】
【従来の技術】
従来、パチンコ機のような遊技機は、市場に流通させる前に所定の検査機関で検定試験に付される。検定機関で検査をするにあたっては、検査装置（ロジックアナライザ、パソコン等）を用いて、遊技機を検査するために必要な検査情報を遊技機から取り込み、取り込んだ検査情報に基づいて、例えば、入賞口への遊戯球の入賞率、特賞状態が生起する特賞確率、あるいは役物の作動率が合格のための仕様条件を満足するか否かを検査する。
そこで、検査対象となる装置（例えば、図柄表示装置）を検査するために、検査情報を出力させるための専用の検査情報出力基板を備え、所定の手順で検査情報を出力させるものが知られている（例えば、特許文献１参照）。
【０００３】
【特許文献１】
特開２００１−２４６１１７号公報
【０００４】
【発明が解決しようとする課題】
ところで、従来の遊技機の図柄表示装置では、検査の際に、主制御部からコマンドデータを取得して図柄の表示制御を行うとともに、その取得コマンドデータを試験端子に検査情報として出力する。しかし、図柄表示制御のソフトウエアなどの不具合に起因し、図柄表示装置がそのコマンドデータを取り込むことができないう不具合が考えられる。
【０００５】
この事態は非常にまれであると考えられるが、その事態が発生すると、試験端子から出力される検査情報が主制御部から取り込んだコマンドデータと異なる。このため、検査装置が正確な検査情報を得ることができず、遊技機の正確な検査ができないという不具合が生じる。
そこで、本発明の目的は、遊技機の検査の際に、試験端子に正確な検査情報を得ることができ、これにより正確な検査ができる遊技機およびその検査方法を提供することにある。
【０００６】
【課題を解決するための手段】
上記課題を解決し、本発明の目的を達成するために、請求項１〜請求項７に記載の発明は、以下のように構成した。
すなわち、請求項１に記載の発明は、主制御部と、この主制御部からのコマンドデータを取得して自己の制御を行うとともに、その取得したコマンドデータを試験端子に出力させる機器と、を有する遊技機において、前記機器の検査の際に、前記主制御部から前記機器に対して供給されるコマンドデータと前記試験端子に出力されるコマンドデータとを比較し、その両コマンドデータが一致しない場合には、同一のコマンドデータの再送を要求するための再送要求信号を前記主制御部に対して出力する比較判定手段を備えたことを特徴とするものである。
【０００７】
請求項２に記載の発明は、請求項１に記載の遊技機において、前記比較判定手段は、前記両コマンドデータが一致しないときには、その両コマンドデータが一致するまで前記比較動作を規定回数繰り返すことを特徴とするものである。
請求項３に記載の発明は、請求項１または請求項２に記載の遊技機において、前記比較判定手段は、前記機器の基板に着脱自在に設けたことを特徴とするものである。
【０００８】
請求項４に記載の発明は、請求項１、請求項２または請求項３に記載の遊技機において、前記機器は、前記主制御部からのコマンドデータに基づいて図柄を変動表示する図柄表示装置であることを特徴とするものである。
請求項５に記載の発明は、遊技機の主制御部からのコマンドデータに応じて制御される機器の検査を行う遊技機の検査方法において、前記検査の際には、前記機器は前記主制御部からのコマンドデータを取得して自己の制御を行うとともに、その取得コマンドデータを試験端子に出力させる一方、前記機器が取得するコマンドデータと前記試験端子に出力されるコマンドデータとを比較し、その両コマンドデータが一致しない場合には、前記主制御部がその一致しないことを受けて同一のコマンドデータを再送するようにしたことを特徴とするものである。
【０００９】
請求項６に記載の発明は、請求項５に記載の遊技機の検査方法において、前記両コマンドデータの比較動作は、前記両コマンドデータが一致しないときには、その両コマンドデータが一致するまで規定回数繰り返すことを特徴とするものである。
請求項７に記載の発明は、請求項５または請求項６に記載の遊技機の検査方法において、前記機器は、前記主制御部からのコマンドデータに基づいて図柄を変動表示する図柄表示装置であることを特徴とするものである。
【００１０】
このように、本発明では、機器の検査の際に、主制御部からその機器に対して供給されるコマンドデータと試験端子に出力されるコマンドデータとを比較し、その両者が一致しない場合には、主制御部がその一致しないことを受けてその同一のコマンドデータを再送することができるようにした。このため、遊技機の検査の際に、試験端子に正確な検査情報を出力でき、正確な検査ができる。
【００１１】
また、本発明では、比較判定手段を、検査対象である機器の基板に対して着脱自在に設けるようにしても良い。この場合には、検査の終了後に比較判定手段を基板から取り外して除去できるので、量産時には不要となって、製造コストが嵩むことはない。
【００１２】
【発明の実施の形態】
以下、本発明の実施の形態を図面を参照して説明する。
本発明の遊技機の実施形態の構成について図１を参照して説明する。
この実施形態に係る遊技機は、図１に示すように、主制御部１と、この主制御部１からのコマンドデータに基づいて図柄を変動表示する図柄表示装置２とを、少なくとも備えている。
【００１３】
図柄表示装置２は、図１に示すように、液晶表示器などの表示器（図示せず）と、接続端子３と、図柄制御部４と、試験端子５と、比較判定部６と、出力部７とを少なくとも備え、表示器以外の各要素は図柄制御基板８上にそれぞれ搭載されている。
接続端子３は、主制御部１の接続端子９とケーブル１０を介して接続されるようになっている。試験端子５は、図柄表示装置２の検査の際に、検査装置（試験装置）と接続させるための端子である。比較判定部６と出力部７とは、図柄制御基板８に適宜手段により着脱自在（取り外し自在）に設けられている。
【００１４】
図柄制御部４は、主制御部１からのコマンドデータを取得して表示器に表示される画像の制御を行うとともに、その取得したコマンドデータを試験端子５に出力するものである。
比較判定部６は、主制御部１からの図柄制御部４に供給されるコマンドデータを記憶するとともに、この記憶するコマンドデータと、図柄制御部４から試験端子５に出力されるコマンドデータとを比較し、その両コマンドデータが不一致の場合に、その同一のコマンドデータの再送を要求する再送要求信号を、主制御部１に対して出力するものである。主制御部１は、その再送要求信号に基づいてコマンドデータを再送するようになっている。
【００１５】
比較判定部６の比較判定結果は、出力部７および通信線を経由してモニタ装置１１で監視できるようになっている。
次に、図１に示す比較判定部６の具体的な構成について、図２を参照して説明する。
この比較判定部６は、図２に示すように、桁選択回路１２と、左図柄ラッチ回路１３と、中図柄ラッチ回路１４と、右図柄ラッチ回路１５と、左図柄比較判定回路１６と、中図柄比較判定回路１７と、右図柄比較判定回路１８と、オア回路１９と、パルス発生回路２０と、タイマ回路２１と、オア回路２２とを備えている。
【００１６】
桁選択回路１２は、主制御部１から図３（Ａ）に示すようなコマンドストーブ信号を受け取ると、そのコマンドストローブ信号を構成する「開始信号」、「左桁信号」、「中桁信号」、「右桁信号」を順次抽出（順次選択）し、その抽出された各信号をタイマ回路２１、左図柄ラッチ回路１３、中図柄ラッチ回路１４、および右図柄ラッチ回路１５にそれぞれ出力する回路である。
【００１７】
左図柄ラッチ回路１３は、主制御部１から出力されるコマンドデータ中の左図柄コマンドデータを、桁選択回路１２から出力される「左桁信号」に同期して記憶する回路である。中図柄ラッチ回路１４は、主制御部１から出力されるコマンドデータ中の中図柄コマンドデータを、桁選択回路１２から出力される「中桁信号」に同期して記憶する回路である。右図柄ラッチ回路１５は、主制御部１から出力されるコマンドデータ中の右図柄コマンドデータを、桁選択回路１２から出力される「右桁信号」に同期して記憶する回路である。
【００１８】
左図柄比較判定回路１６は、左図柄ラッチ回路１３に記憶される左図柄コマンドデータと、図柄制御部４から試験端子５に出力される左図柄コマンドデータとを、タイマ回路２１からの比較制御信号に基づいて比較し、両コマンドデータが不一致の場合には、両コマンドデータが不一致である旨を示す「Ｈ」レベルの信号を出力する回路である。
【００１９】
中図柄比較判定回路１７は、中図柄ラッチ回路１４に記憶される中図柄コマンドデータと、図柄制御部４から試験端子５に出力される中図柄コマンドデータとを、タイマ回路２１からの比較制御信号に基づいて比較し、両コマンドデータが不一致の場合には、両コマンドデータが不一致である旨を示す「Ｈ」レベルの信号を出力する回路である。
【００２０】
右図柄比較判定回路１８は、右図柄ラッチ回路１５に記憶される右図柄コマンドデータと、図柄制御部４から試験端子５に出力される右図柄コマンドデータとを、タイマ回路２１からの比較制御信号に基づいて比較し、両コマンドデータが不一致の場合には、両コマンドデータが不一致である旨を示す「Ｈ」レベルの信号を出力する回路である。
【００２１】
オア回路１９は、左図柄比較判定回路１６、中図柄比較判定回路１７、および右図柄比較判定回路１８からの各出力信号の論理和演算を行う回路である。従って、このオア回路１９は、左図柄比較判定回路１６、中図柄比較判定回路１７、および右図柄比較判定回路１８のうちの１つの出力信号が「Ｈ」レベルのときには、「Ｈ」レベルの信号をパルス発生回路２０に出力する。
【００２２】
パルス発生回路２０は、オア回路１９からの出力が「Ｈ」レベルのときに、すなわち上記の両コマンドデータが不一致のときに、同一のコマンドデータの再送を要求する再送要求信号を生成し、この再送要求信号をオア回路２２および主制御部１にそれぞれ出力する回路である。
タイマ回路２１は、桁選択回路１２からの「開始信号」出力に基づいて計数を開始し、比較判定時間だけ計数すると、その計数終了のタイミングで上記の比較制御信号を、左図柄比較判定回路１６、中図柄比較判定回路１７、および右図柄比較判定回路１８にそれぞれ出力する回路である。このタイマ回路２１は、パルス発生回路２０から再送要求信号がオア回路２２に出力されて、桁選択回路１２の「開始信号」を選択し、その信号に基づいて上記の計数動作を再び開始し、その計数動作の終了後に比較制御信号を出力する。
【００２３】
再送要求信号が出力されないときは、規定計数値まで計数動作を行い、次の「開始信号」により計数動作を開始する。
オア回路２２は、再送要求信号とコマンドストローブ信号の論理和演算を行う回路である。従って、再送要求信号の出力に対し、桁選択回路１２では、「開始信号」が選択されるので、タイマ回路２１は計数動作を再開することになる。
【００２４】
次に、このような構成からなる実施形態において、図柄表示装置２を検査する際の動作について、図１を参照して説明する。
この場合には、試験に先立って試験端子５に検査装置が接続される。その検査装置による検査が開始されると、主制御部１から図柄制御部４に対してコマンドデータが供給される。図柄制御部４は、そのコマンドデータを取得すると、そのコマンドデータに基づいて図示しない表示器に表示される画像の制御を行うとともに、その取得したコマンドデータを試験端子５に出力させる。
【００２５】
一方、比較判定部６は、主制御部１から図柄制御部４に供給されるコマンドデータを記憶するとともに、この記憶するコマンドデータと、図柄制御部４から試験端子５に出力されるコマンドデータとを比較する。この比較の結果、その両コマンドデータが不一致の場合には、比較判定部６は、先に出力されたと同一のコマンドデータの再送を要求するための再送要求信号を、主制御部１に対して出力する。
【００２６】
その再送要求信号に基づき、主制御部１は、再び先に出力したと同一のコマンドデータを図柄制御部４に出力する。比較判定部６は、主制御部１から再送されるコマンドデータと、図柄制御部４から試験端子５に出力されるコマンドデータとを比較する。その比較の結果、両コマンドデータが一致する場合には、比較判定部６はその比較判定動作を終了する。
【００２７】
次に、図柄制御部４および比較判定部６の動作について、図２および図３を参照して説明する。
この例では、主制御部１から図柄制御部４に対して、例えば、図３（Ｂ）に示すようなコマンドデータと、図３（Ａ）に示すようなコマンドデータストローブ信号とが供給されるものとする。
【００２８】
そのコマンドデータは、同時に、左図柄ラッチ回路１３、中図柄ラッチ回路１４、および右図柄ラッチ回路１５にそれぞれ供給され、そのコマンドデータストローブ信号は桁選択回路１２に供給される。
いま、図３（Ａ）に示すようなコマンドデータストローブ信号が桁選択回路１２に入力されると、桁選択回路１２は、そのコマンドストローブ信号を構成する「開始信号」、「左桁信号」、「中桁信号」、「右桁信号」を順次抽出し（取り出し）、この抽出した各信号をタイマ回路２１、左図柄ラッチ回路１３、中図柄ラッチ回路１４、および右図柄ラッチ回路１５にそれぞれ出力する。
【００２９】
ここで、図３に示す時刻ｔ１において、図３（Ａ）に示すように「開始信号」が立ち上がると、その立ち上がりに同期してタイマ回路２１は計数動作を開始する。また、コマンドデータストーブ信号は図柄制御部４にも入力されるので、時刻ｔ１ではその「開始信号」の立ち上がりに同期して、試験端子左図柄変動信号、試験端子中図柄変動信号、および試験端子右図柄変動信号がそれぞれ「Ｈ」レベルとなる（図３（Ｆ）（Ｈ）（Ｊ）参照）。
【００３０】
その後、桁選択回路１２で抽出された「左桁信号」、「中桁信号」、「右桁信号」が左図柄ラッチ回路１３、中図柄ラッチ回路１４、および右図柄ラッチ回路１５に順次出力される。
このため、左図柄ラッチ回路１３は、図３（Ｂ）に示すコマンドデータの中から左図柄コマンドデータを、その「左桁信号」に同期して記憶する（図３（Ｃ）参照）。また、中図柄ラッチ回路１４は、そのコマンドデータの中から中図柄コマンドデータを、その「中桁信号」に同期して記憶する（図３（Ｄ）参照）。さらに、右図柄ラッチ回路１５は、そのコマンドデータの中から右図柄コマンドデータを、その「右桁信号」に同期して記憶する（図３（Ｅ）参照）。
【００３１】
この結果、例えば図示のように、左図柄ラッチ回路１３にはデータ「ａ」が記憶され、中図柄ラッチ回路１４にはデータ「ｂ」が記憶され、右図柄ラッチ回路１５にはデータ「ｃ」が記憶される。
その後、比較判定時間Ｔ１が経過して時刻ｔ２になると、タイマ回路２１はその計数動作を終了し、比較制御信号を左図柄比較判定回路１６、中図柄比較判定回路１７、および右図柄比較判定回路１８にそれぞれ出力する。
【００３２】
これにより、時刻ｔ２において、左図柄比較判定回路１６は、左図柄ラッチ回路１３に記憶される左図柄コマンドデータ「ａ」と、図柄制御部４から試験端子５に出力される左図柄コマンドデータ「ａ」（図３（Ｇ）参照）とを、その比較制御信号に基づいて比較する。この比較の結果、両コマンドデータは一致するので、左図柄比較判定回路１６は、両コマンドデータが一致である旨を示す「Ｌ」レベルの信号を出力する。
【００３３】
中図柄比較判定回路１７は、中図柄ラッチ回路１４に記憶される中図柄コマンドデータ「ｂ」と、図柄制御部４から試験端子５に出力される中図柄コマンドデータ「ｂ」（図３（Ｉ）参照）とを、その比較制御信号に基づいて比較する。この比較の結果、両コマンドデータは一致するので、中図柄比較判定回路１７は、両コマンドデータが一致である旨を示す「Ｌ」レベルの信号を出力する。
【００３４】
右図柄比較判定回路１８は、右図柄ラッチ回路１５に記憶される右図柄コマンドデータ「ｃ」と、図柄制御部４から試験端子５に出力される右図柄コマンドデータ「ｃ’」（図３（Ｋ）参照）とを、その比較制御信号に基づいて比較する。この比較の結果、両コマンドデータが不一致であるので、右図柄比較判定回路１８は，両コマンドデータが不一致である旨を示す「Ｈ」レベルの信号を出力する。
【００３５】
左図柄比較判定回路１６、中図柄比較判定回路１７、および右図柄比較判定回路１８からの各出力信号は、オア回路１９に供給される。ここで、右図柄比較判定回路１８からの出力信号が、両コマンドデータが不一致である旨を示す「Ｈ」レベルの信号である。このため、オア回路１９の出力信号は「Ｈ」レベルとなり、この「Ｈ」レベルの信号がパルス発生回路２０に出力される。
【００３６】
パルス発生回路２０は、オア回路１９からの出力が「Ｈ」レベルのときに、すなわち上記の両コマンドデータが不一致のときに、同一のコマンドデータの再送を要求する再送要求信号を図３（Ｍ）に示すように生成し、この再送要求信号をオア回路２２および主制御部１にそれぞれ出力する。
タイマ回路２１は、パルス発生回路２０から再送要求信号がオア回路２２に出力されて、桁選択回路１２の「開始信号」を選択し、その信号に基づいて上記の計数動作を再び開始する。
【００３７】
また、その再送要求信号を受け取った主制御部１は、図３（Ａ）および（Ｂ）に示すように、前回と同一のコマンドデータおよびコマンドデータストローブ信号とをそれぞれ図柄制御部４に対して出力する。
これにより、左図柄ラッチ回路１３は、再送されたコマンドデータの中から左図柄コマンドデータを、「左桁信号」に同期して記憶する（図３（Ｃ）参照）。また、中図柄ラッチ回路１４は、その再送されたコマンドデータの中から中図柄コマンドデータを、「中桁信号」に同期して記憶する（図３（Ｄ）参照）。さらに、右図柄ラッチ回路１５は、その再送されたコマンドデータの中から右図柄コマンドデータを、「右桁信号」に同期して記憶する（図３（Ｅ）参照）。
【００３８】
この結果、例えば図示のように、左図柄ラッチ回路１３にはデータ「ａ」が記憶され、中図柄ラッチ回路１４にはデータ「ｂ」が記憶され、右図柄ラッチ回路１５にはデータ「ｃ」が記憶される。
その後、比較判定時間Ｔ１が経過して時刻ｔ３になると、タイマ回路２１はその計数動作を終了し、比較制御信号を左図柄比較判定回路１６、中図柄比較判定回路１７、および右図柄比較判定回路１８にそれぞれ出力する。
【００３９】
これにより、左図柄比較判定回路１６は、左図柄ラッチ回路１３に記憶される左図柄コマンドデータ「ａ」と、図柄制御部４から試験端子５に出力される左図柄コマンドデータ「ａ」とを、その比較制御信号に基づいて比較する。この比較の結果、両コマンドデータは一致するので、左図柄比較判定回路１６は、両コマンドデータが一致である旨を示す「Ｌ」レベルの信号を出力する。
【００４０】
中図柄比較判定回路１７は、中図柄ラッチ回路１４に記憶される中図柄コマンドデータ「ｂ」と、図柄制御部４から試験端子５に出力される中図柄コマンドデータ「ｂ」とを、その比較制御信号に基づいて比較する。この比較の結果、両コマンドデータは一致するので、中図柄比較判定回路１７は、両コマンドデータが一致である旨を示す「Ｌ」レベルの信号を出力する。
【００４１】
右図柄比較判定回路１８は、右図柄ラッチ回路１５に記憶される右図柄コマンドデータ「ｃ」と、図柄制御部４から試験端子５に出力される右図柄コマンドデータ「ｃ」とを、その比較制御信号に基づいて比較する。この比較の結果、両コマンドデータは一致するので、右図柄比較判定回路１８は、両コマンドデータが一致である旨を示す「Ｌ」レベルの信号を出力する。
【００４２】
左図柄比較判定回路１６、中図柄比較判定回路１７、および右図柄比較判定回路１８からの各出力信号は、オア回路１９に供給される。ここで、その各出力信号は、両コマンドデータが一致である旨を示す「Ｌ」レベルの信号である。このため、オア回路１９の出力信号は「Ｌ」レベルとなり、パルス発生回路２０では上記の再送要求信号は生成されない。
【００４３】
このように、ラッチ回路１３〜１５に格納されるコマンドデータと、図柄制御部４から試験端子５に出力されるコマンドデータとが不一致の場合には、上記のように両コマンドデータが一致するまで、あるいは図３に示すように時刻ｔ４の左図柄仮停止点に至るまで、主制御部１がそのコマンドデータの再送を行うための動作を繰り返す。
【００４４】
その後、時刻ｔ６において図柄確定点に至ると、図柄制御部４では、図３（Ｌ）に示すように図柄確定信号が生成される。
ここで、図３において、時刻ｔ１〜時刻ｔ４までの期間Ｔ２は「左図柄仮停止までの時間」であり、時刻ｔ１〜時刻ｔ５までの期間Ｔ３は「中図柄仮停止までの時間」であり、時刻ｔ１〜時刻ｔ６までの期間Ｔ４は「左中右図柄仮停止までの時間」である。
【００４５】
以上説明したように、この実施形態によれば、図柄表示装置２の検査の際に、主制御部１から図柄制御部４に対して供給されるコマンドデータと試験端子５に出力されるコマンドデータとを比較し、その両者が一致しない場合には、それが一致するまでまたは規定回数だけ、主制御部１がその同一のコマンドデータを再送するようにした。このため、遊技機の検査の際に、試験端子に正確な検査情報を出力でき、正確な検査ができる。
【００４６】
また、この実施形態によれば、比較判定部６および出力部７を、図柄制御基板８に対して着脱自在に設けるようにした。このため、検査の終了後には比較判定部６および出力部７を図柄制御基板８から取り外して除去できるので、量産時には不要となって、製造コストが嵩むことはない。
なお、上記の実施形態では、主制御部１の制御対象として図柄表示装置とし、この図柄表示装置を検査の対象とした場合について説明した。しかし、本発明では、主制御部１の制御対象として図柄表示装置の他に、ランプ制御装置や音声制御装置とし、これらを検査の対象とする場合でも良い。
【００４７】
【発明の効果】
以上述べたように、本発明によれば、遊技機の検査の際に、試験端子に正確な検査情報を出力でき、正確な検査ができる。
また、本発明では、比較判定手段を、検査対象である機器の基板に対して着脱自在に設けるようにしても良く、この場合には、検査の終了後には比較判定手段を基板から取り外して除去できるので、量産時には不要となって、製造コストが嵩むことはない。
【図面の簡単な説明】
【図１】本発明の実施形態の構成を示すブロック図である。
【図２】図１に示す比較判定部の具体的な構成を示すブロック図である。
【図３】図２に示す図柄制御部と比較判定部の各部の波形を示す波形図である。
【符号の説明】
１  主制御部
２  図柄表示装置
４  図柄制御部
５  試験端子
６  比較判定部
８  図柄制御基板
１２  桁選択回路
１３  左図柄ラッチ回路
１４  中図柄ラッチ回路
１５  右図柄ラッチ回路
１６  左図柄比較判定回路
１７  中図柄比較判定回路
１８  右図柄比較判定回路
１９  オア回路
２０  パルス発生回路
２１  タイマ回路
２２  オア回路
【図１】
2004167169.tif 000003
【図２】
2004167169.tif 000004
【図３】
2004167169.tif 000005